(57)【要約】【課題】ねじ締め作業における作業者への負担が少なく、連続作業時における作業能率の優れた連結ねじ送り装置及びそれを備える連結ねじドライバを提供する。【解決手段】本体ケース２に対して摺動可能に配置されたリボンスプリング保持部２０に、定荷重ばねであるリボンスプリング２６を備えたリボンスプリング部材２３を係合し、リボンスプリング２６の先端に固定された係止部２７を本体ケース２の先端下部に係止する。【選択図】図２（ｂ）
2005219128.tif 000002
【特許請求の範囲】
【請求項１】
ガイド溝が形成された本体ケースと、
該本体ケースの端部付近に該本体ケースに対して摺動移動可能に配置され、ねじ挿通穴が形成されたスライドケースと、
該ガイド溝に係合し該ガイド溝の形状および該スライドケースの移動に応じて、複数の該ねじを保持するねじ連結帯を送り、該ねじを該ねじ挿通穴に整合させるねじ連結帯送給機構と、
一端が該本体ケースに他端が該スライドケースに接続され、該本体ケースから該スライドケースを突出させる方向に付勢する付勢手段とを備えた連結ねじ送り装置において、
該付勢手段は、渦巻きばねを有することを特徴とする連結ねじ送り装置。
【請求項２】
該スライドケースには付勢手段保持部が付設され、
該付勢手段は、該付勢手段保持部に支持された軸部材と、該軸部材に支持されるスリーブと、該スリーブに内周を押し広げられた状態で巻回される渦巻きばねとを有し、該軸部材は該付勢手段保持部に回転可能に支持されるか、該スリーブが該軸部材に回転可能に支持され、該渦巻きばねは、外部からの負荷がない状態では該スリーブの外径よりも小さい内径を有しかつ隣接するコイルが互いに接触するように巻かれることを特徴とする請求項１に記載の連結ねじ送り装置。
【請求項３】
該付勢手段保持部は、該スライドケースの該ねじ連結帯が複数の該ねじを保持する側に付設されることを特徴とする請求項２に記載の連結ねじ送り装置。
【請求項４】
該付勢手段保持部は、該スライドケースの該ねじ連結帯が複数の該ねじを保持する側に付設され、該スライドケースの摺動方向と該ねじ連結帯の送給方向とに直交する方向の該本体ケースの幅と同幅であることを特徴とする請求項２に記載の連結ねじ送り装置。
【請求項５】
該スライドケースには付勢手段保持部が付設され、
該付勢手段は、該スリーブに内周を押し広げられた状態で巻回される渦巻きばねと、該渦巻きばねの内周に挿入されると共に該渦巻きばねの一端を固定する軸部材と、該軸部材の外端に一体に使用者が摘み可能に設けられた摘み部とを有し、該軸部材は、該付勢手段保持部に回転可能且つ該付勢手段保持部に対して回転位置を固定可能に支持され、該渦巻きばねは、外部からの負荷がない状態では該スリーブの外径よりも小さい内径を有しかつ隣接するコイルが互いに接触するように巻かれることを特徴とする請求項１に記載の連結ねじ送り装置。
【請求項６】
該スライドケースには付勢手段保持部が付設され、
該付勢手段は該付勢手段保持部に突設固定されて、該渦巻きばねを係止する軸部材を有することを特徴とする請求項１に記載の連結ねじ送り装置。
【請求項７】
電気或いは圧縮空気を供給されて回転するモータと、
該モータの回転力を伝達する回転伝達機構と、
該モータ、該スイッチ及び該回転伝達機構を収納する外枠部と、
該外枠部に形成されたハンドル部と、
該外枠部から突出するように設けられ且つ該回転伝達機構より回転力が伝達されて回転駆動されるビット保持部と、
該ビット保持部に取り付けられる略棒状のビットと、
該ビット及び該ビット保持部を覆うように該外枠部に取り付けられ、該ビット及び該ビット保持部が貫通できるように形成され、ガイド溝が形成された本体ケースと、
該本体ケースの該外枠部とは逆側に突出して設けられ、該ビットの軸方向に往復移動可能に設けられ、ねじ挿通穴が該ビットと同軸上に形成されたスライドケースと、
該ガイド溝に係合し該ガイド溝の形状および該スライドケースの移動に応じて、該ねじ連結帯を送り、該ねじを該ねじ挿通穴に整合させるねじ送給機構と、
一端が該本体ケースに他端が該スライドケースに接続され、該スライドケースを該本体ケースから突出させる方向に付勢する付勢手段とを備え、
該スライドケースは、複数のねじを帯状に連結してなるねじ連結帯を案内可能に形成されたねじ連結帯通路を有する連結ねじドライバにおいて、
該付勢手段は、渦巻きばねを有することを特徴とする連結ねじドライバ。
【請求項８】
該スライドケースには付勢手段保持部が付設され、
該付勢手段は、該付勢手段保持部に支持された軸部材と、該軸部材に支持されるスリーブと、該スリーブに内周を押し広げられた状態で巻回される渦巻きばねとを有し、該軸部材は該付勢手段保持部に回転可能に支持されるか、該スリーブが該軸部材に回転可能に支持され、該渦巻きばねは、外部からの負荷がない状態では該スリーブの外径よりも小さい内径を有しかつ隣接するコイルが互いに接触するように巻かれることを特徴とする請求項７に記載の連結ねじドライバ。
【請求項９】
該付勢手段保持部は、該スライドケースの該ねじ連結帯が複数の該ねじを保持する側に付設されることを特徴とする請求項８に記載の連結ねじドライバ。
【請求項１０】
該付勢手段保持部は、該スライドケースの該ねじ連結帯が複数の該ねじを保持する側に付設され、該スライドケースの摺動方向と該ねじ連結帯の送給方向とに直交する方向の該本体ケースの幅と同幅であることを特徴とする請求項８に記載の連結ねじ送り装置。
【請求項１１】
該スライドケースには付勢手段保持部が付設され、
該付勢手段は、外部からの負荷がない状態では隣接するコイルが互いに接触しない渦巻きばねと、該渦巻きばねの内周に挿入されると共に該渦巻きばねの一端を固定する軸部材と、該軸部材の外端に一体に使用者が摘み可能に設けられた摘み部とを有し、該軸部材は、該付勢手段保持部に回転可能且つ該付勢手段保持部に対して回転位置を固定可能に支持されることを特徴とする請求項７に記載の連結ねじドライバ。
【請求項１２】
該スライドケースには付勢手段保持部が付設され、
該付勢手段は該付勢手段保持部に突設固定されて、該渦巻きばねを係止する軸部材を有することを特徴とする請求項７に記載の連結ねじドライバ。
【発明の詳細な説明】
【技術分野】
【０００１】
本発明は、ねじ締め付け動作に連動して、ねじ連結帯を１ピッチづつ送る連結ねじ送り装置及びそれを備える連結ねじドライバに関する。
【背景技術】
【０００２】
従来の連結ねじドライバについて、図９及び図１０に基づいて説明する。連結ねじドライバは、連結ねじ送り装置と電動ドライバから構成されており、図９には連結ねじドライバの連結ねじ送り装置４４０の要部の断面図を示している。以下図９の左方側を連結ねじ送り装置４４０の前方側として説明する。
【０００３】
連結ねじ送り装置４４０は、図示せぬハンドルを有し、図示せぬモータを駆動源として回転可能に設けられた後述するビット４０３を備える電動ドライバに、着脱可能に取付けられるものである。連結ねじ送り装置４４０は、電動ドライバのモータにより回転駆動されるビット保持部４３５を収納支持する外枠部４３２に取付けられる。ビット保持部４３５には後述する本体ケース４０２内に収容され、本体ケース４０２の長手方向と平行に延びるビット４０３が保持されている。
【０００４】
連結ねじ送り装置４４０は、外枠体となる本体ケース４０２を有している。本体ケース４０２にはスライドケース４１０が、本体ケース４０２に対して前後方向に摺動移動可能に配置されている。そして、本体ケース４０２とスライドケース４１０の後端との間には、図１０に示すようなスライドケース４１０を本体ケース４０２に対して常に前方へ付勢するための圧縮コイルばね４２６が介装されている。また、本体ケース４０２とスライドケース４１０は、ねじ４１３Ａを有するねじ連結帯４１３を搬送するためのねじ連結帯搬送機構を備えている。
【０００５】
次に、連結ねじ送り装置４４０の動作について説明する。図示せぬハンドルを把持し、スライドケース４１０を被加工物４１５に押し当てる。更に図示せぬハンドルを押し、本体ケース２を圧縮コイルばね４２６の付勢力に逆らって前方へ移動させ、ビット４０３の回転力によってねじ４１３Ａを被加工物４１５にねじ込み、ねじ締めを行う。
【発明の開示】
【発明が解決しようとする課題】
【０００６】
従来の連結ねじ送り装置では、撓み量が増大するとばね圧が増加する圧縮コイルばね４２６を用いてスライドケース４１０を本体ケース４０２に対して前方へ付勢しているので、ねじ締め作業時に本体ケース４０２の押し込み量が増加すると、圧縮コイルばね４２６の収縮に伴って作業に要する力も増加する。従って、ねじ締めを完了させるための力が過大になり作業者の押付け力が弱い場合には、所望の押し込み量を押せずねじ締めが未完了になり易い。更に連続作業時には、作業者の身体的疲労により作業能率が低下し、また操作性も低下する。
【０００７】
そこで本発明は、ねじ締め作業における作業者への負担が少なく、連続作業時における作業能率の優れた連結ねじ送り装置及びそれを備える連結ねじドライバを提供することを目的とする。
【課題を解決するための手段】
【０００８】
上記目的を達成するために、本発明は、ガイド溝が形成された本体ケースと、該本体ケースの端部付近に該本体ケースに対して摺動移動可能に配置され、ねじ挿通穴が形成されたスライドケースと、該ガイド溝に係合し該ガイド溝の形状および該スライドケースの移動に応じて、複数の該ねじを保持するねじ連結帯を送り、該ねじを該ねじ挿通穴に整合させるねじ連結帯送給機構と、一端が該本体ケースに他端が該スライドケースに接続され、該本体ケースから該スライドケースを突出させる方向に付勢する付勢手段とを備えた連結ねじ送り装置において、該付勢手段は、渦巻きばねを有することを特徴とする連結ねじ送り装置を提供している。
【０００９】
ここで、該スライドケースには付勢手段保持部が付設され、該付勢手段は、該付勢手段保持部に支持された軸部材と、該軸部材に支持されるスリーブと、該スリーブに内周を押し広げられた状態で巻回される渦巻きばねとを有し、該軸部材は該付勢手段保持部に回転可能に支持されるか、該スリーブが該軸部材に回転可能に支持され、該渦巻きばねは、外部からの負荷がない状態では該スリーブの外径よりも小さい内径を有しかつ隣接するコイルが互いに接触するように巻かれることが好ましい。
【００１０】
また、該付勢手段保持部は、該スライドケースの該ねじ連結帯が複数の該ねじを保持する側に付設されることが好ましい。
【００１１】
更に、該付勢手段保持部は、該スライドケースの該ねじ連結帯が複数の該ねじを保持する側に付設され、該スライドケースの摺動方向と該ねじ連結帯の送給方向とに直交する方向の該本体ケースの幅と同幅であることが好ましい。
【００１２】
そして、該スライドケースには付勢手段保持部が付設され、該付勢手段は、該スリーブに内周を押し広げられた状態で巻回される渦巻きばねと、該渦巻きばねの内周に挿入されると共に該渦巻きばねの一端を固定する軸部材と、該軸部材の外端に一体に使用者が摘み可能に設けられた摘み部とを有し、該軸部材は、該付勢手段保持部に回転可能且つ該付勢手段保持部に対して回転位置を固定可能に支持され、該渦巻きばねは、外部からの負荷がない状態では該スリーブの外径よりも小さい内径を有しかつ隣接するコイルが互いに接触するように巻かれることが好ましい。
【００１３】
また、該スライドケースには付勢手段保持部が付設され、該付勢手段は該付勢手段保持部に突設固定されて、該渦巻きばねを係止する軸部材を有することが好ましい。
【００１４】
また、本発明は、電気或いは圧縮空気を供給されて回転するモータと、該モータの回転力を伝達する回転伝達機構と、該モータ、該スイッチ及び該回転伝達機構を収納する外枠部と、該外枠部に形成されたハンドル部と、該外枠部から突出するように設けられ且つ該回転伝達機構より回転力が伝達されて回転駆動されるビット保持部と、該ビット保持部に取り付けられる略棒状のビットと、該ビット及び該ビット保持部を覆うように該外枠部に取り付けられ、該ビット及び該ビット保持部が貫通できるように形成され、ガイド溝が形成された本体ケースと、該本体ケースの該外枠部とは逆側に突出して設けられ、該ビットの軸方向に往復移動可能に設けられ、ねじ挿通穴が該ビットと同軸上に形成されたスライドケースと、該ガイド溝に係合し該ガイド溝の形状および該スライドケースの移動に応じて、該ねじ連結帯を送り、該ねじを該ねじ挿通穴に整合させるねじ送給機構と、一端が該本体ケースに他端が該スライドケースに接続され、該スライドケースを該本体ケースから突出させる方向に付勢する付勢手段とを備え、該スライドケースは、複数のねじを帯状に連結してなるねじ連結帯を案内可能に形成されたねじ連結帯通路を有する連結ねじドライバにおいて、該付勢手段は、渦巻きばねを有する連結ねじドライバを提供している。
【００１５】
ここで、該スライドケースには付勢手段保持部が付設され、該付勢手段は、該付勢手段保持部に支持された軸部材と、該軸部材に支持されるスリーブと、該スリーブに内周を押し広げられた状態で巻回される渦巻きばねとを有し、該軸部材は該付勢手段保持部に回転可能に支持されるか、該スリーブが該軸部材に回転可能に支持され、該渦巻きばねは、外部からの負荷がない状態では該スリーブの外径よりも小さい内径を有しかつ隣接するコイルが互いに接触するように巻かれることが好ましい。
【００１６】
また、該付勢手段保持部は、該スライドケースの該ねじ連結帯が複数の該ねじを保持する側に付設されることが好ましい。
【００１７】
更に、該付勢手段保持部は、該スライドケースの該ねじ連結帯が複数の該ねじを保持する側に付設され、該スライドケースの摺動方向と該ねじ連結帯の送給方向とに直交する方向の該本体ケースの幅と同幅であることが好ましい。
【００１８】
そして、該スライドケースには付勢手段保持部が付設され、該付勢手段は、外部からの負荷がない状態では隣接するコイルが互いに接触しない渦巻きばねと、該渦巻きばねの内周に挿入されると共に該渦巻きばねの一端を固定する軸部材と、該軸部材の外端に一体に使用者が摘み可能に設けられた摘み部とを有し、該軸部材は、該付勢手段保持部に回転可能且つ該付勢手段保持部に対して回転位置を固定可能に支持されることが好ましい。
【００１９】
また、該スライドケースには付勢手段保持部が付設され、該付勢手段は該付勢手段保持部に突設固定されて、該渦巻きばねを係止する軸部材を有することが好ましい。
【発明の効果】
【００２０】
請求項１の連結ねじ送り装置によれば、付勢手段に定荷重ばねである渦巻きばねを用いているので、ねじ締め作業時の本体ケースの押し込み量の増加（渦巻きばねの引き出し量の増加）による本体ケースを押し込むのに要する力の増加は非常に小さくとなるので、ねじ締め作業における作業者への負担を大幅に低減することができ、操作性が向上し、身体的疲労が改善され、連続作業時における作業能率の優れた連結ねじ送り装置を提供することができる。更に、本体ケースを所望の押し込み量まで押すことが容易となるので、ねじ締めの未完了を防止することができる。
【００２１】
請求項２の連結ねじ送り装置によれば、スライドケースには付勢手段保持部が付設され、付勢手段は、付勢手段保持部に支持された軸部材と、軸部材に支持されるスリーブと、スリーブに内周を押し広げられた状態で巻回される渦巻きばねとを有し、軸部材は付勢手段保持部に回転可能に支持されるか、スリーブが該軸部材に回転可能に支持され、渦巻きばねは、外部からの負荷がない状態では該スリーブの外径よりも小さい内径を有しかつ隣接するコイルが互いに接触するように巻かれるので、渦巻きばねは定荷重渦巻きばねとして作用し、本体ケースを押し込むのに要する力の増加がほとんどなくなると共に、渦巻きばねはスムーズに回動することができ、スライドケースの動作を安定させることができる。このため、ねじ締め作業における作業者への負担を大幅に低減することができ、操作性が向上し、身体的疲労が改善される。従って、連続作業時における作業能率の優れた連結ねじ送り装置を提供することができる。更に本体ケースを所望の押し込み量まで押すことが容易となるので、ねじ締めの未完了を防止することができる。
【００２２】
請求項３及び４の連結ねじ送り装置によれば、付勢手段保持部は、スライドケースのねじ連結帯が複数のねじを保持する側に付設され、スライドケースの摺動方向とねじ連結帯の送給方向とに直交する方向の本体ケースの幅と同幅であるので、従来の連結ねじ送り装置と比較して、幅が大きくなることはない。従って、コーナー部等のより狭いスペースに本体ケース２をあてがうことができ、隅打ちの可能性を高めることができる。
【００２３】
請求項５の連結ねじ送り装置によれば、スライドケースには付勢手段保持部が付設され、付勢手段は、スリーブに内周を押し広げられた状態で巻回される渦巻きばねと、渦巻きばねの内周に挿入されると共に渦巻きばねの一端を固定する軸部材と、軸部材の外端に一体に使用者が摘み可能に設けられた摘み部とを有し、軸部材は、付勢手段保持部に回転可能且つ付勢手段保持部に対して回転位置を固定可能に支持され、渦巻きばねは、外部からの負荷がない状態ではスリーブの外径よりも小さい内径を有しかつ隣接するコイルが互いに接触するように巻かれるので、所望のばね力に調整できる。従って、操作性が向上し、身体的疲労が改善され、作業条件や作業者の身体能力等の多様な条件に適応した連結ねじ送り装置を提供することができる。更に本体ケースを所望の押し込み量まで押すことが容易となるので、ねじ締めの未完了を防止することができる。
【００２４】
請求項６の連結ねじ送り装置によれば、スライドケースには付勢手段保持部が付設され、付勢手段は付勢手段保持部に突設固定されて、渦巻きばねを係止する軸部材を有するので、スライドケースを押し込むのに要する力がいくぶん不安定となるが、作業者のねじ締め作業における作業者への負担を大幅に低減することができ、操作性が向上し、身体的疲労が改善される。従って、連続作業時における作業能率の優れた連結ねじ送り装置を提供することができる。更に本体ケースを所望の押し込み量まで押すことが容易となるので、ねじ締めの未完了を防止することができる。
【００２５】
請求項７の連結ねじドライバによれば、付勢手段に渦巻きばねを用いているので、ねじ締め作業時の本体ケースの押し込み量の増加（渦巻きばねの引き出し量の増加）による本体ケースを押し込むのに要する力の増加は非常に小さくなるので、ねじ締め作業における作業者への負担を大幅に低減することができ、操作性が向上し、身体的疲労が改善され、連続作業時における作業能率の優れた連結ねじ送り装置を提供することができる。更に、本体ケースを所望の押し込み量まで押すことが容易となるので、ねじ締めの未完了を防止することができる。
【００２６】
請求項８の連結ねじドライバによれば、スライドケースには付勢手段保持部が付設され、付勢手段は、付勢手段保持部に支持された軸部材と、軸部材に支持されるスリーブと、スリーブに内周を押し広げられた状態で巻回される渦巻きばねとを有し、軸部材は付勢手段保持部に回転可能に支持されるか、スリーブが軸部材に回転可能に支持され、渦巻きばねは、外部からの負荷がない状態では該スリーブの外径よりも小さい内径を有しかつ隣接するコイルが互いに接触するように巻かれるので、渦巻きばねは定荷重渦巻きばねとして作用し、本体ケースを押し込むのに要する力の増加がほとんどなくなると共に、渦巻きばねはスムーズに回動することができ、スライドケースの動作を安定させることができる。このため、ねじ締め作業における作業者への負担を大幅に低減することができ、操作性が向上し、身体的疲労が改善される。従って、連続作業時における作業能率の優れた連結ねじ送り装置を提供することができる。更に本体ケースを所望の押し込み量まで押すことが容易となるので、ねじ締めの未完了を防止することができる。
【００２７】
請求項９及び１０の連結ねじ送り装置によれば、付勢手段保持部は、スライドケースのねじ連結帯が複数のねじを保持する側に付設され、スライドケースの摺動方向とねじ連結帯の送給方向とに直交する方向の本体ケースの幅と同幅であるので、従来の連結ねじ送り装置と比較して、幅が大きくなることはない。従って、コーナー部等のより狭いスペースに本体ケース２をあてがうことができ、隅打ちの可能性を高めることができる。
【００２８】
請求項１１の連結ねじドライバによれば、スライドケースには付勢手段保持部が付設され、付勢手段は、外部からの負荷がない状態では隣接するコイルが互いに接触しない渦巻きばねと、該渦巻きばねの内周に挿入されると共に渦巻きばねの一端を固定する軸部材と、軸部材の外端に一体に使用者が摘み可能に設けられた摘み部とを有し、軸部材は、付勢手段保持部に回転可能且つ付勢手段保持部に対して回転位置を固定可能に支持されるので、所望のばね力に調整できる。従って、操作性が向上し、身体的疲労が改善され、作業条件や作業者の身体能力等の多様な条件に適応した連結ねじ送り装置を提供することができる。更に本体ケースを所望の押し込み量まで押すことが容易となるので、ねじ締めの未完了を防止することができる。
【００２９】
請求項１２の連結ねじドライバによれば、スライドケースには付勢手段保持部が付設され、付勢手段は付勢手段保持部に突設固定されて、渦巻きばねを係止する軸部材を有するので、スライドケースを押し込むのに要する力がいくぶん不安定となるが、作業者のねじ締め作業における作業者への負担を大幅に低減することができ、操作性が向上し、身体的疲労が改善される。従って、連続作業時における作業能率の優れた連結ねじ送り装置を提供することができる。更に本体ケースを所望の押し込み量まで押すことが容易となるので、ねじ締めの未完了を防止することができる。
【発明を実施するための最良の形態】
【００３０】
本発明の第１の実施の形態による連結ねじ送り装置を備える連結ねじドライバついて図１乃至図４に基づき説明する。図１は連結ねじドライバ１の断面図である。連結ねじドライバ１は、電動ドライバ３０と、電動ドライバ３０に取付けられた連結ねじ送り装置４０とから構成される。電動ドライバ３０は、ハンドル部３１を備えた外枠部３２を有し、外枠部３２には、モータ３３と、モータ３３の回転力を伝達する回転伝達機構３４と、回転伝達機構３４により伝達された回転力により回転駆動するビット保持部３５と、モータ３３の駆動を制御し使用者により操作可能なスイッチ３６とが配置されている。ビット保持部３５には、後述する本体ケース２内に収容され、本体ケース２の長手方向と平行に延びるビット３が保持されている。従ってビット３は、モータ３３の回転力により回転される。そして、連結ねじ送り装置４０は、ビット保持部３５及びビット３を覆うように電動ドライバ３０に取付けられている。外枠部３１と連結ねじ送り装置４０とは、両者をねじで固定したり、互いに締め代をもたせて圧入したり、一方に凹部を他方に凸部を設けて互いに係合させたりする構成とすることにより着脱可能に取付けられる。
【００３１】
次に、連結ねじ送り装置４０について説明する。図１は、連結ねじ送り装置４０の断面図である。図２（ａ）は、連結ねじ送り装置４０の一部内部を示した正面図であり、図２（ｂ）は、図２（ａ）のＩｂ―Ｉｂ線に沿った要部の断面図であり、図２（ｃ）は、図２（ａ）の上面図である。以下、図２（ｂ）の左方側を連結ねじ送り装置４０の前方側として説明する。
【００３２】
連結ねじ送り装置４０は、外枠体となる本体ケース２を有している。本体ケース２の紙面に垂直上方の内側面には、略中央から前方に延びる第１ガイド溝２ａが形成されている。第１ガイド溝２ａは、本体ケース２の長手方向に延び、本体ケース２の前方付近において下方へ傾斜しており略Ｌ字状の形状をなす。本体ケース２には、その前方に第１開口部２ｂが形成されており、第１開口部２ｂには、スライドケース１０とその後方下部に付設されるリボンスプリング保持部２０とを有するスライド部４が、本体ケース２に対して前後方向に摺動移動可能に配置されている。スライドケース１０の後端部は、本体ケース２内に配置されており、その他の部分は本体ケース２から前方に突出して設けられている。また、図２（ａ）に示すように、本体ケース２のスライドケース１０を配置する部分の幅と、本体ケース２のリボンスプリング保持部２０を収容する部分の幅とはほぼ等しい。
【００３３】
スライドケース１０内には、後述するねじ連結帯送給機構を収容するための本体ケース２の内部と連通する空間１０ａが画成されている。空間１０ａの前方には、空間１０ａと連通し、後述するねじ連結帯１３の通過を許容するねじ連結帯通路１０ｂが形成されている。更に、ねじ連結帯通路１０ｂの後方部には、後述するねじ連結帯１３の帯１３Ｂを挿通するための帯挿通溝１０ｃが形成されている。スライドケース１０には、その後端部にシャフトアーム１１が揺動可能に配置されている。シャフトアーム１１は、スライドケース１０に支持された揺動支持部１１Ａを中心に揺動し、前端部には爪部１１Ｂを、後端部には第１ガイド溝２ａの前方端部と係合する係合部１１Ｃを有する。
【００３４】
また、シャフトアーム１１の前方には円形のドラム１２が、スライドケース１０に回転可能に支持されている。ドラム１２には、爪部１１Ｂと係合可能な歯部１２Ａが設けられている。歯部１２Ａは、その紙面に対し垂直上方に亘って、所定半径位置から外周縁まで延びドラム１２の円周方向に沿って所定ピッチでラチェット状に形成されている。また、ドラム１２の外周縁には、後述するようにねじ連結帯１３と係合する複数の突起部１２Ｂが、所定ピッチで半径方向外方に向かって突設されている。そして、第１ガイド溝２ａと、シャフトアーム１１と、ドラム１２とにより上述のねじ連結帯送給機構を構成している。
【００３５】
スライドケース１０の上方から下方にかけて、かつドラム１２の円周の一部に沿って上述したねじ連結帯１３が配置されている。ねじ連結帯１３は、複数のねじ１３Ａと、複数のねじ１３Ａを一定間隔で保持する樹脂製の帯１３Ｂとから構成される。帯１３Ｂは、帯挿通溝１０ｃに挿通されており、最も上方のねじ１３Ａとその下のねじ１３Ａは、互いに隣接する突起部１２Ｂ間に配置されており、その他のねじ１３Ａはスライドケース１０の下方に配置されている。
【００３６】
更に、スライドケース１０の前端下部には、前方へ突出するようにストッパ１４が設けられている。ストッパ１４は、本体ケース２の長手方向に延びるストッパ支持部１４Ａと、ストッパ支持部１４Ａの前端部から上方へ延びるストッパ接触部１４Ｂとにより構成される。ストッパ支持部１４Ａには、ねじ連結帯通路１０ｂと連通し、ねじ連結帯１３をの通過を許容するねじ連結帯通路１４ａが形成されている。また、ストッパ接触部１４Ｂには、ねじ１３Ａを挿通するためのねじ挿通穴１４ｂが、ビット３と同軸上に形成されている。
【００３７】
リボンスプリング保持部２０は、スライドケース１０の後方下部に設けられている。図３に示すようにリボンスプリング保持部２０は、基部２１と、基部２１の上下面に配置され一部が基部２１から後方へ突出する２枚の板部２２とにより構成される。上方の板部２２は、スライドケース１０の後方下部と一体となって設けられている。それぞれ板部２２の互いに対向する面の略中央には、第２ガイド溝２２ａが形成されている。そして、それぞれの板部２２の間には、リボンスプリングユニット２３が配置されている。リボンスプリングユニット２３は、第２ガイド溝２２ａに係合支持される軸部材２４と、軸部材２４に回転可能に支持されるスリーブ２５と、スリーブ２５の外周に巻回されるリボンスプリング２６と、リボンスプリング２６先端に固定され本体ケース２の先端下部に係止可能なコ字状の係止部２７とから構成される。リボンスプリングユニット２３は、実際には板部２２間に配置されるが、図３においては説明の便宜のため板部２２間の外部にリボンスプリングユニット２３を図示している。
【００３８】
リボンスプリング２６は、外部からの負荷がない状態では隣接するコイルが互いに接触するように密着巻きされる定荷重渦巻きばねであり、スリーブ２５はその内周部を押し広げるように挿入されている。従って、リボンスプリング２６とスリーブ２５とは、リボンスプリング２６の半径方向に収縮しようとする力により一体となる。また、リボンスプリング２６は、図３の上方から見て右回り（時計回り）に内周から外周へ向かって巻かれており、係止部２７を左方に引出せば、リボンスプリング２６には、左方への引出しに抗するように係止部２７を右方へ巻戻そうとする力が働く。よって、係止部２７が本体ケース２の先端下部に係止した状態では、軸部材２４およびスリーブ２５には係止部２７の方へ引っ張られる力が働いている。従って、係止部２７が本体ケース２の先端下部に係止した状態では、スライドケース１０はリボンスプリング２６のばね圧により本体ケース２に対して常に前方へ突出するように付勢されている。また、係止部２７を巻き戻そうとする力は、離れたコイルが再び密着しようとする力、すなわち外周部においてまっすぐに伸ばされたコイルが元の通りに曲がろうとする弾性力である。この弾性力は、コイルのたわんだ角度に比例するので、外周部の曲率が一定であれば変化することがない。従って、コイルの厚さをリボンスプリング２６外径に比べて十分小さくすれば、係止部２７を長く引き出しても、係止部２７を巻き戻そうとする力はほぼ一定となる。
【００３９】
次に、連結ねじドライバ１の動作について説明する。ハンドル３１部を把持しスイッチ３６をＯＮにし、ストッパ接触部１４Ｂを被加工物１５に押し当てる。更に押し続けると、本体ケース２はリボンスプリング２６の付勢力に逆らって前方へ移動すると共に、係合部１１Ｃは第１ガイド溝２ａに沿って矢印Ａの方へ揺動支持部１１Ａを中心に回動する。係合部１１Ｃの回動と共に、爪部１１Ｂは下方へ回動し、これに伴いドラム１２は時計回りに回転する。ドラム１２が回転するとねじ連結帯１３は上方へ移動し、最も上方のねじ１３Ａはビット３と同軸上に配置される。
【００４０】
更に、本体ケース２の前方への移動に伴って、ビット３の先端がねじ１３Ａの頭部に係合し、ねじ１３Ａの先端が被加工物１５に押し当てられる。そして、ねじ１３Ａはビット３の回転力によって被加工物１５にねじ込まれる。その後、図示せぬハンドルを押す力を緩めると、スライドケース１０はリボンスプリング２６により本体ケース２に対して前方へ付勢されているので、本体ケース２のみ後方へ移動する。この移動に伴って、係合部１１Ｃは第１ガイド溝２ａに沿って移動し、矢印Ａとは逆の方へ回動する。この回動と共に爪部１１Ｂは上方へ回動する。この時ドラム１２の表面はラチェット形状の歯部１２Ａなので、ドラム１２は時計方向には回転しない。
【００４１】
本実施の形態において、定荷重渦巻きばねであるリボンスプリング２６を用いてスライドケース１０を本体ケース２に対して前方へ付勢しているので、ねじ締め作業時に本体ケース２の押し込み量（リボンスプリング２６の引き出し量）が増加しても、本体ケース２を押し込むのに要する力はほとんど増加しない。従って、ねじ締め作業における作業者への負担を大幅に低減することができ、操作性が向上し、身体的疲労が改善される。また、スリーブ２５は軸部材２４に回転可能に支持されるので、リボンスプリング２６はスムーズに回動することができ、ねじ締め動作におけるばね圧を安定させることができる。そして、連続作業時における作業能率の優れた連結ねじ送り装置を提供することができる。
【００４２】
更に、リボンスプリング保持部２０をスライドケース１０の下方に付設し、図２（ａ）に示すように、本体ケース２のスライドケース１０を配置する部分の幅と、本体ケース２のリボンスプリング保持部２０を収容する部分の幅とはほぼ等しいので、従来の連結ねじドライバと比較して、幅が大きくなることはない。従って、コーナー部等のより狭いスペースに本体ケース２をあてがうことができにおける隅打ちの可能性を高めることができる。
【００４３】
次に、本発明の第２の実施の形態による連結ねじドライバついて図４に基づき説明する。図４は、第２の実施の形態における連結ねじドライバの連結ねじ送り装置１０１の要部を示す後方斜視図であり、本体ケース１０２と、スライド部１０４とから構成されている。また、第２の実施の形態における連結ねじドライバは、第１の実施の形態の電動ドライバ３０と同様の電動ドライバを有している。そして、連結ねじ送り装置１０１は、第１の実施の形態と同様のねじ連結帯送給機構を有する。
【００４４】
本体ケース１０２には、図４における紙面に対して手前側の側壁に本体ケース１０２の長手方向に延び後述するリボンスプリング保持部１２０を案内する第３ガイド溝１０２ｃが形成されている。そして、本体ケース１０２の前方端部には、突出部１０２Ａが本体ケース１０２の長手方向および上下方向に垂直な方向に突設されている。また、スライド部１０４は、第１の実施の形態と同様のスライドケース１１０と、第１の実施の形態と同様のリボンスプリング保持部１２０とから構成される。第１の実施の形態では、リボンスプリング保持部２０はスライドケース１０の後方下部に設けられていたが、本実施の形態では、リボンスプリング保持部１２０はスライドケース１１０の後部側壁に付設されている。更に、リボンスプリング保持部１２０は、第１の実施の形態における配置状態から、スライドケース１１０の長手軸を中心に９０°ずれた位置に設けられている。従って、リボンスプリングユニット２３も係止部２７が上方にくるように９０°ずれた位置で、第１の実施の形態の第２ガイド溝２２ａに相当する第２ガイド溝１２２ａに係合されている。そして、係止部２７は突出部１０２Ａに係止されている。従って、スライドケース１１０は、リボンスプリング２６のばね圧により本体ケース１０２に対して常に前方へ突出するように付勢されている。なお、本実施の形態における連結ねじドライバのねじ締め動作は、第１の実施の形態と同様である。
【００４５】
第１の実施の形態と同様に、定荷重渦巻きばねであるリボンスプリング２６を用いてスライドケース１１０を本体ケース１０２に対して前方へ付勢しているので、ねじ締め作業時に本体ケース１０２の押し込み量（リボンスプリング２６の引き出し量）が増加しても、本体ケース２を押し込むのに要する力はほとんど増加しない。従って、ねじ締め作業における作業者への負担を大幅に低減することができ、操作性が向上し、身体的疲労が改善される。また、スリーブ２５は軸部材２４に回転可能に支持されるので、リボンスプリング２６はスムーズに回動することができ、ねじ締め動作におけるばね圧を安定させることができる。そして、連続作業時における作業能率の優れた連結ねじドライバを提供することができる。
【００４６】
次に、本発明の第３の実施の形態による連結ねじドライバついて図５乃至６に基づき説明する。図５は、第３の実施の形態における連結ねじドライバの連結ねじ送り装置２０１の要部を示す前方斜視図であり、本体ケース２０２と、スライド部２０４とから構成されている。また、第２の実施の形態における連結ねじドライバは、第１の実施の形態の電動ドライバ３０と同様の電動ドライバを有している。連結ねじ送り装置２０１は、第１の実施の形態と同様のねじ連結帯送給機構を有する。
【００４７】
本体ケース２０２には、図５におけるその右側側面の略中央に本体ケース２０２の長手方向に延び図示せぬリブを案内する第３ガイド溝２０２ｃが形成されている。そして、本体ケース２０２には、第２の実施の形態と同様の突出部２０２Ａが突設されている。またスライド部２０４は、スライドケース２１０と、リボンスプリング保持部２２０と、図示せぬリブとから構成されている。図示せぬリブは、スライドケース２１０の右側後部に本体ケース２０２の長手方向に延び、第３ガイド溝２０２ｃから本体ケース２０２の外側に突出している。リボンスプリング保持部２２０は、図示せぬリブから本体ケース２０２の外側壁に沿うように上下両方向へ突設されている。リボンスプリング保持部２２０には、その後部であって第３ガイド溝２０２ｃより下側にばね圧調整部２３０が設けられている。
【００４８】
次に、ばね圧調整部２３０について説明する。図６（ａ）は、ばね圧調整部２３０の断面図であり、図６（ｂ）はその分解斜視図である。ばね圧調整部２３０は、ばね収容部２３１と、スリーブガイド軸２３２と、コイルばね２３３と、スリーブ２３４と、キャップ２３５と、Ｃ型トメワ２３６とから構成される。
【００４９】
ばね収容部２３１は中空円柱状であり、リボンスプリング保持部２２０から離間する方向に突設され、コイルばね２３３を収容するための凹部が提供される。スリーブガイド軸２３２は、ばね収容部２３１の略中心にリボンスプリング保持部２２０から離間する方向に突設されており、その先端には断面略正方形状の嵌挿部２３２Ａが設けられている。コイルばね２３３は、スリーブガイド軸２３２に挿通され、ばね収容部２３１の凹部内に収容される。スリーブ２３４は、円筒状のスプリング固定部２３４Ａと、スプリング固定部２３４Ａの端部に設けられた円板状の調整つまみ２３４Ｂとを有する。スプリング固定部２３４Ａおよび調整つまみ２３４Ｂには、スリーブガイド軸２３２を挿通するための軸挿通穴２３４ａが形成されている。また、スプリング固定部２３４Ａの外周面には、リボンスプリング固定溝２３４ｂが形成されており、図６（ｃ）に示すようにリボンスプリング２６の内端部がリボンスプリング固定溝２３４ｂに固定され、係止部２７は突出部２０２Ａ（図５）に係止される。本実施の形態におけるリボンスプリング２６は、半径方向において互いに隣接するリボンスプリング２６間に隙間を形成した状態で配置される非接触形渦巻きばねである。また、調整つまみ２３４Ｂのリボンスプリング保持部２２０から離間する側の側面には、４つの扇状の係合凸部２３４Ｃが軸挿通穴２３４ａの同心円上に互いに等間隔に突設されている。
【００５０】
そして、スリーブ２３４を反スライドケース２１０方向に付勢するためのコイルばね２３３は、スリーブ２３４とリボンスプリング保持部２２０との間に介装される。キャップ２３５の略中心には、嵌挿部２３２Ａに嵌挿可能な断面略正方形状の嵌挿穴２３５ａが形成されている。よって、キャップ２３５はスリーブガイド軸２３２に対して回転不能である。また、キャップ２３５の係合凸部２３４Ｃに対向する面には、４つの扇状の係合凹部２３５ｂがそれぞれの係合凸部２３４Ｃに対向する位置に形成され、それぞれの係合凸部２３４Ｃと係合している。そして、Ｃ型トメワ２３６は、キャップ２３５のリボンスプリング保持部２２０から離間する側の側面から、嵌挿部２３２Ａに係合しつつキャップ２３５を抜け止めしている。
【００５１】
次に、ばね圧調整部２３０によるリボンスプリング２６のばね圧の調整方法について説明する。調整つまみ２３４Ｂをコイルばね２３３のばね圧に抗してリボンスプリング保持部２２０の方向へ押し、係合凸部２３４Ｃと係合凹部２３５ｂとの係合を解くと、スリーブ２３４はスリーブガイド軸２３２の回りを回転自在になる。スリーブ２３４を図５において時計方向に回すとばね圧を増加させ、反時計方向に回すとばね圧を減少させることができる。そして、ばね圧を調整した状態でスリーブ２３４をリボンスプリング保持部２２０から離間する方向へ移動させ、係合凸部２３４Ｃと係合凹部２３５ｂとを係合させると、リボンスプリング２６のばね圧は調整したばね圧に設定される。また、リボンスプリング２６の引き出し量が増大すると、半径方向において互いに隣接するリボンスプリング２６間の隙間は徐々に狭くなる。この場合は、第１の実施の形態における定荷重渦巻きばねとは異なり、係止部２７を長く引出すほど、巻き戻す力は大きくなるが、コイルの巻き数を十分多くすれば引出し長さに対して巻き戻し力増加を小さくすることができるので、従来の圧縮コイルばねと比べて巻き戻し力の変動を小さくすることができる。
【００５２】
本実施の形態においても第１の実施の形態と同様にスライドケース２１０は、リボンスプリング２６のばね圧により本体ケース２０２に対して常に前方へ突出するように付勢されている。また、本実施の形態における連結ねじドライバのねじ締め動作は、第１の実施の形態と同様である。
【００５３】
上述のような構成にすることによって、リボンスプリング２６を用いてスライドケース２１０を本体ケース２０２に対して前方へ付勢しているので、ねじ締め作業時に本体ケース２０２の押し込み量（リボンスプリング２６の引き出し量）が増加したときの、本体ケース２０２を押し込むのに要する力の増加は小さくなる。従って、ねじ締め作業における作業者への負担を大幅に低減することができ、操作性が向上し、身体的疲労が改善される。
【００５４】
更にリボンスプリング２６のばね圧を調整することができるので、作業条件や作業者の身体能力等の多様な条件に適応した連結ねじドライバを提供することができる。
【００５５】
次に、本発明の第４の実施の形態による連結ねじドライバついて図７に基づき説明する。図７は、第４の実施の形態における連結ねじドライバの連結ねじ送り装置３０１の要部を示す前方斜視図であり、本体ケース３０２と、スライド部３０４とから構成されている。また、第４の実施の形態における連結ねじドライバは、第１の実施の形態の電動ドライバ３０と同様の電動ドライバを有している。そして、連結ねじ送り装置３０１は、第１の実施の形態と同様のねじ連結帯送給機構を有する。
【００５６】
本体ケース３０２には、図７におけるその右側側面の略中央に本体ケース３０２の長手方向に延び図示せぬリブを案内する第３ガイド溝３０２ｃが形成され、前端には第２の実施の形態と同様の突出部３０２Ａが設けられている。そして、スライド部３０４は、スライドケース３１０と、リボンスプリング保持部３２０と、図示せぬリブとから構成されている。図示せぬリブは、スライドケース３１０の右側後部に本体ケース３０２の長手方向に延び、第３ガイド溝３０２ｃから本体ケース３０２の外側に突出している。リボンスプリング保持部３２０は、図示せぬリブから本体ケース３０２の外側壁に沿うように上下両方向へ突設されている。リボンスプリング保持部３２０には、その後部であって第３ガイド溝３０２ｃより下側に軸部材３２４が、リボンスプリング保持部３２０から離間する方向に突設されている。
【００５７】
軸部材３２４には隣接するコイルが接触するように巻かれたリボンスプリング２６がルーズに吊り下げられ、突出部３０２Ａには係止部２７が係止されている。従って、スライドケース３１０は、リボンスプリング２６のばね力によりスライドケース３１０に対して常に前方へ突出するように付勢されている。そして、本実施の形態における連結ねじドライバのねじ締め動作は、第１の実施の形態と同様である。
【００５８】
第１の実施の形態と同様に、定荷重渦巻きばねであるリボンスプリング２６を用いてスライドケース３１０を本体ケース３０２に対して前方へ付勢しているので、ねじ締め作業時に本体ケース３０２の押し込み量が増加しても、本体ケース３０２を押し込むのに要する力はほとんど増加しない。また、本実施の形態ではスリーブ２５を用いていないため、ねじ締め動作におけるばね圧がいくぶん不安定となるが、作業者のねじ締め作業における作業者への負担を大幅に低減することができる。従って、操作性が向上し、身体的疲労が改善される。また、連続作業時における作業能率の優れた連結ねじドライバを提供することができる。
【００５９】
発明者らは、第１の実施の形態の連結ねじ送り装置１のストッパ接触部１４Ｂを荷重計に繋げて、本体ケース２をスライドケース１０側に押し込むときに、ストッパ接触部１４Ｂにかかる荷重の測定を行った。図８に示すように、本実施の形態において、ねじ締め初期（０ｍｍ）からねじ締め完了（８０ｍｍ）までのストッパ接触部１４Ｂにかかる荷重は２ｋｇｆであり、ほぼ一定であった。しかし、従来の撓み量が増大すると荷重が増加する圧縮コイルばねを備えた連結ねじ送り装置で同様の測定を行ったところ、荷重は２ｋｇｆから４ｋｇｆまで増加した。従って、ねじ締め作業に要する荷重を２ｋｇｆ低減でき、本体ケース２を所望の押し込み量まで押すことが容易となるので、ねじ締めの未完了を防止することができる。
【００６０】
なお、図８において本体ケース２を押し込む時の荷重に比べて戻すときの荷重が減少しているが、これは押し込む時と戻す時とでは、スライド部４と本体ケース２との間の摩擦力の働く方向が逆になるからである。即ち本体ケース２を押し込む時は、リボンスプリング２６のばね圧の働く方向と、スライド部４と本体ケース２との間の摩擦力の働く方向とは同じであり、本体ケース２を戻す時は、リボンスプリング２６のばね圧の働く方向と、スライド部４と本体ケース２との間の摩擦力の働く方向とは逆になる。従って、押し込む時のストッパ接触部１４Ｂにかかる荷重はリボンスプリング２６のばね圧にスライド部４と本体ケース２との間の摩擦力を足した力となり、戻す時のストッパ接触部１４Ｂにかかる荷重はリボンスプリング２６のばね圧からスライド部４と本体ケース２との間の摩擦力を引いた力となる。なお、本体ケース２とスライドケース１０側とが相対的に移動するときに、互いの接触状態が変わるなどの影響で摩擦力が多少変動するが、図８のグラフでは渦巻きばねの効果をわかりやすく示すために、荷重特性を直線で表現した。
【００６１】
本発明による連結ねじドライバは、上述した実施の形態に限定されず、特許請求の範囲に記載した範囲で種々の変形や改良が可能である。例えば、第１及び第２の実施の形態においてスリーブ２５は軸部材２４に回転可能に支持されているが、軸部材２４がリボンスプリング保持部２０に回転可能に支持されてもよい。
【図面の簡単な説明】
【００６２】
【図１】本発明の第１の実施の形態における連結ねじドライバの断面図。
【図２（ａ）】本発明の第１の実施の形態における連結ねじ送り装置の一部内部を示した正面図。
【図２（ｂ）】図２（ａ）のＩｂ―Ｉｂ線に沿った要部の断面図。
【図２（ｃ）】図２（ａ）の上面図。
【図３】本発明の第１の実施の形態におけるスライドケースおよびリボンスプリングの後方斜視図。
【図４】本発明の第２の実施の形態における連結ねじ送り装置の要部を示す後方斜視図。
【図５】本発明の第３の実施の形態における連結ねじ送り装置の要部を示す前方斜視図。
【図６（ａ）】ばね圧調整部の断面図。
【図６（ｂ）】ばね圧調整部の分解図。
【図６（ｃ）】リボンスプリングのスプリング固定部への固定状態を示した断面図。
【図７】本発明の第４の実施の形態における連結ねじ送り装置の要部を示す前方斜視図。
【図８】定荷重渦巻きばねおよび圧縮コイルばねにおける、本体ケースの押し込み量と、ストッパ接触部にかかる荷重との関係を示した図。
【図９】従来の連結ねじ送り装置の要部の断面図。
【図１０】圧縮コイルばねの外観図。
【符号の説明】
【００６３】
１  連結ねじドライバ    ４０、１０１、２０１、３０１  連結ねじ送り装置    ２ａ  第１ガイド溝    ２、１０２、２０２、３０２  本体ケース    ３  ビット    ４、１０４、２０４、３０４  スライド部    １０、１１０、２１０、３１０  スライドケース    １０ａ  空間    １３  ねじ連結帯    １３Ａ  ねじ    １４ｂ  挿通穴    ２０、１２０、２２０、３２０  リボンスプリング保持部    ２３  リボンスプリングユニット    ２４、３２４  軸部材    ２５  スリーブ    ２６  リボンスプリング  ２７  係止部    ３１  ハンドル    ３２  外枠部    ３３  モータ    ３４  回転伝達機構    ３５  ビット保持部    ３６  スイッチ
【図１】
2005219128.tif 000003
【図２（ａ）】
2005219128.tif 000004
【図２（ｂ）】
2005219128.tif 000005
【図２（ｃ）】
2005219128.tif 000006
【図３】
2005219128.tif 000007
【図４】
2005219128.tif 000008
【図５】
2005219128.tif 000009
【図６（ａ）】
2005219128.tif 000010
【図６（ｂ）】
2005219128.tif 000011
【図６（ｃ）】
2005219128.tif 000012
【図７】
2005219128.tif 000013
【図８】
2005219128.tif 000014
【図９】
2005219128.tif 000015
【図１０】
2005219128.tif 000016